(57)【要約】【課題】オーバーフロー試験を行う電子式電力量計において、計量初期値（オール０）からオーバーフローまでの計量（桁上げ）試験を行うことなく、試験時間を大幅に短縮する。【解決手段】、電圧および電流に基づいて電力量を演算する電力量演算部８と、この電力量演算部８で演算した電力量を表示する表示部１０と、この表示部１０に表示される電力量の表示値を制御する制御部９とを備えた電子式電力量計１において、記憶部１１に表示部１０に表示させる電力量の計量初期値であるオーバーフロー直前値または任意の数値を記憶させ、電子式電力量計１のオーバーフロー試験のときにこのオーバーフロー直前値または任意の数値を、表示部１０に表示させることにより、オーバーフローまでの計量（桁上げ）試験を短縮させた。【選択図】図２
2008076206.tif 000002
【特許請求の範囲】
【請求項１】
負荷に供給される電圧を検出する電圧検出部と、前記負荷に供給される電流を検出する電流検出部と、前記電圧および前記電流に基づいて電力量を演算する電力量演算部と、この電力量演算部で演算した電力量を表示する表示部と、この表示部に表示される電力量の表示値を制御する制御部とを備えた電子式電力量計において、
前記表示部のオーバーフロー時の動作を確認するオーバーフロー試験時に、前記表示部に表示させる電力量の計量初期値を記憶させる記憶部を備えたことを特徴とする電子式電力量計。
【請求項２】
前記計量初期値はオーバーフロー直前値またはオール０以外の任意の数値であることを特徴とする請求項１記載の電子式電力量計。
【請求項３】
前記記憶部は、前記計量初期値を選択するために用いられるフラグ値を記憶するフラグ値記憶部を有していることを特徴とする請求項１記載の電子式電力量計。
【請求項４】
前記記憶部に記憶される前記計量初期値を外部操作により任意に設定する設定部を備えたことを特徴とする請求項１記載の電子式電力量計。
【請求項５】
電力量の計量値を表示させる表示部のオーバーフロー時の動作を確認するオーバーフロー試験を行う電子式電力量計の試験方法において、
前記オーバーフロー試験時における電力量の計量初期値を記憶し、前記オーバーフロー試験時に前記記憶した数値を前記表示部に表示させるようにしたことを特徴とする電子式電力量計の試験方法。
【請求項６】
前記計量初期値はオーバーフロー直前値またはオール０以外の任意の数値であることを特徴とする請求項５記載の電子式電力量計の試験方法。
【発明の詳細な説明】
【技術分野】
【０００１】
本発明は電力量を計測し、表示部で計量値を表示する電子式電力量計に関わるもので、特に、電子式電力量計の計量試験に関するものである。
【背景技術】
【０００２】
従来の電子式電力量計は、電力量の計量値を表示させる表示部のオーバーフロー時の動作を確認するオーバーフロー試験において、試験を短時間で行うために、電子式電力量計への入力信号である電圧・電流信号等を調整して実施する方法がある。例えば、測定対象として入力されるテスト電圧、テスト電流の周波数を商用周波数より高く設定し、かつテスト電圧、テスト電流のデジタル値を得るＡ／Ｄ変換器のサンプリング信号を高くすることで、高い周波数の電力量パルスを出力させ、表示される電力量を定常時よりも速く桁上げさせていた。（例えば、特許文献１参照）。
なお、上述したオーバーフローとは、表示される計量値が表示値の最大値を超えて桁上げした場合に、表示画面がオール０に移行すること（例えば、６桁表示の場合、「９９９９．９９」から「００００．００」に表示値が移行すること）である。
【０００３】
【特許文献１】特許第３３４９１０２号
【発明の開示】
【発明が解決しようとする課題】
【０００４】
以上のように構成された従来の電子式電力量計は、通常用のサンプリング信号よりも高い周波数のテスト用のサンプリング信号を発生させる必要があり、サンプリング源信号を生成する発振器とサンプリング源信号を分周する分周器が必要であった。
また、テスト用サンプリング周波数を定常用のサンプリング周波数の２倍、またはｎ倍とした場合における計量値のオーバーフロー動作確認のための試験時間は１／２倍、或いは１／ｎ倍となるのみであり、試験時間の大幅な短縮はできないため、計量値のオーバーフロー試験を効率よく行うことができないという問題があった。
【０００５】
本発明は、上述のような問題を解決するためになされたもので、オーバーフロー試験を効率的に実施することができる電子式電力量計及びその試験方法を提供することを目的としている。
【課題を解決するための手段】
【０００６】
本発明は、負荷に供給される電圧を検出する電圧検出部と、前記負荷に供給される電流を検出する電流検出部と、前記電圧および前記電流に基づいて電力量を演算する電力量演算部と、この電力量演算部で演算した電力量を表示する表示部と、この表示部に表示される電力量の表示値を制御する制御部とを備えた電子式電力量計において、前記表示部のオーバーフロー時の動作を確認するオーバーフロー試験時に、前記表示部に表示させる電力量の計量初期値を記憶させる記憶部を備えたものである。
また、本発明は、電力量の計量値を表示させる表示部のオーバーフロー時の動作を確認するオーバーフロー試験を行う電子式電力量計の試験方法において、前記オーバーフロー試験時における電力量の計量初期値を記憶し、前記オーバーフロー試験時に前記記憶した数値を前記表示部に表示させるようにしたものである。
【発明の効果】
【０００７】
本発明によれば、オーバーフロー試験時における電力量の計量初期値を記憶し、オーバーフロー試験時に記憶した数値を表示部に表示させるようにしたので、オーバーフロー試験を効率的に行うことができ、特に計量初期値としてオーバーフロー直前値（例えば、６桁表示の場合、「９９９９．９９」など）を記憶・表示した場合は試験時間を大幅に短縮できる。
【発明を実施するための最良の形態】
【０００８】
実施の形態１．
図1は本発明の実施の形態１における電子式電力量計を示す正面図、図２は本発明の実施の形態１における電子式電力量計の構成を示すブロック図、図３及び図４は本発明の実施の形態１における電子式電力量計の動作を示すフローチャート図である。
【０００９】
図１および図２において、電子式電力量計１は、電力供給装置２から電力供給線３を介して負荷４に供給される電力を入出力端子部５より電子式電力量計１の内部に取り入れ、電圧検出部である、例えば、変圧器６にて電圧値を検出し、電流検出部である、例えば、変流器７にて電流値を検出し、それらの検出値に基づいて電力量演算部８にて電力量を演算し、その電力量を表示部１０にて表示される電力量の表示値を制御する制御部９に入力し、例えば、液晶表示装置で形成された表示部１０にて計量値を表示する。
【００１０】
記憶部１１は、例えば、不揮発性メモリで構成され、計量初期値を記憶するための計量初期値記憶部１１ａを具備しており、オーバーフロー直前値（例えば、６桁表示の場合、「９９９９．９９」など）などの計量初期値が予め記憶されており、この計量初期値は、電子式電力量計１の外部から設定部１２により、任意の数値（例えば、６桁表示の場合、「９９００．００」など）も設定可能である。
また、記憶部１１には、オーバーフロー試験時に計量初期値を選択するために用いられるフラグ値を記憶するフラグ値記憶部１１ｂを有している。
【００１１】
なお、前記説明では計量初期値は記憶部１１に記憶されているとしたが、記憶部１１にはそれぞれの計量初期値に割り振られたフラグ値と任意の数値を記憶させることによって、オーバーフロー直前値を記憶部１１に記憶させることなく計量初期値の選択が可能であり、以下の動作説明においては、フラグを用いた選択判定を実施した場合について説明する。
【００１２】
電子式電力量計１は、計量試験（例えば、型式・検定試験等の検定封印前に行う試験）を効率的に実施するため、特別な計量動作を行わせる特定モード（例えば、試験モード等）が規定されている。この試験モードは電子式電力量計１の設定部１２から外部操作により繰り返し設定可能であるが、計量初期値を選択するためのフラグ値の設定は設定モード時に実施されるもので、通常、初期に一度のみ実施される。
【００１３】
また、計量試験時に移行する試験モードでは、計量初期値としてオーバーフロー直前値と任意の数値を選択する設定手段を具備すると共に、従来の電子式電力量計と同様、試験モード移行直前の計量値を継続して計量動作（オーバーフロー試験）を実施する場合に備え、計量値を継続させて計量する機能（現在計量値継続機能）を有している。
【００１４】
図３は、電子式電力量計１の設定部１２から外部操作により試験モードに移行し、オーバーフロー試験を行うフローを示し、図４は設定部１２から記憶部１１に直接フラグ値または計量初期値を記憶させる設定モードのフローを示しており、以下、試験モード移行直前の計量値（現在計量値）を継続して試験モードに移行し、計量動作（オーバーフロー試験）を実施する場合の動作について図３を用いて説明する。
【００１５】
最初に、現在計量値を継続した後、計量動作（オーバーフロー試験）を実施する場合について記述する。
（１）  電子式電力量計１の設定部１２から外部操作により電子式電力量計１をリセットするリセット起動（Ｓ１）を行う。
（２）  次に、リセット起動（Ｓ１）の後に制御部９を初期化する制御部初期化処理に移行（Ｓ２）する。
（３）  次に、設定部１２で計量初期値選択フラグ設定・記憶処理（Ｓ３）にて、試験モード移行時に用いる計量初期値を選択するための計量初期値選択フラグ（フラグ１〜フラグ３）からフラグ１（現在計量値継続に相当）を選択し、不揮発性メモリ１１内のフラグ値記憶部１１ｂにフラグ１を記憶させる。
（４）  次の計量動作（Ｓ４）では、通常の計量動作を実施し、電子式電力量計１の設定部１２から外部操作により試験モード移行が選択（Ｓ５）された場合は、Ｓ６〜Ｓ１１に示す試験モード動作を実施する。（試験モードに移行すると同時に現在計量値を記憶する。）
（５）  試験モード移行後、計量初期値選択フラグ判定（Ｓ６）にてフラグ１をフラグ値記憶部１１ｂより読出し・フラグ判定を行い、計量初期値として現在計量値を表示部１０に表示（Ｓ７）させた後、計量動作（オーバーフロー試験）を実施（Ｓ１０）する。最後に電子式電力量計１の設定部１２から外部操作により試験モード終了選択を実施（Ｓ１１）し、通常の計量動作（Ｓ４）に戻る。
【００１６】
次に、計量初期値にオーバーフロー直前値を選択した後、計量動作（オーバーフロー試験）を実施する場合について記述する。
なお、Ｓ１及びＳ２については、上記と同様である。
（１）  計量値選択フラグ設定・記憶処理（Ｓ３）にて、計量初期値選択フラグ（フラグ１〜フラグ３）よりフラグ２（例えば、６桁表示の場合、「９９９９．９９」であるオーバーフロー直前値に相当）を選択・記憶（Ｓ３）させ、通常の計量動作（Ｓ４）後、試験モード移行選択（Ｓ５）を実施する。
（２）  試験モード移行後、計量初期値としてオーバーフロー直前値を表示部１０に表示（Ｓ８）させた後、計量動作（オーバーフロー試験）を実施（Ｓ１０）する。最後に試験モード終了選択（Ｓ１１）を実施し、通常の計量動作（Ｓ４）に戻る。
【００１７】
次に、計量初期値に任意の値を選択した後、計量動作（オーバーフロー試験）を実施する場合について記述する。
なお、Ｓ１及びＳ２については、上記と同様である。
（１）  計量値選択フラグ設定・記憶処理（Ｓ３）にて、計量初期値選択フラグ（フラグ１〜フラグ３）よりフラグ３（例えば、６桁表示の場合、「９９９０．００」などのオール０以外の任意の数値に相当）を選択すると共に、および任意の数値を設定し、フラグ値記憶部１１ｂと計量初期値記憶部１１aに記憶（Ｓ３）させ、通常の計量動作後、試験モード移行選択（Ｓ５）を実施する。
（２）  試験モード移行後、計量初期値として任意の数値を表示部１０に表示（Ｓ９）させた後、計量動作（オーバーフロー試験）を実施（Ｓ１０）する。最後に試験モード終了選択を実施（Ｓ１１）し、通常の計量動作（Ｓ４）に戻る。
【００１８】
次に、上述したＳ３の計量初期値に現在計量値（試験モード移行直前の計量値）を設定する場合の設定フローの詳細について、図４を用いて説明する。
（１）  電子式電力量計１の設定部１２から外部操作により設定モードに移行（Ｓ３１）する。
（２）  次に、計量初期値選択フラグ設定（Ｓ３２）にて、計量初期値を選択するための計量初期値選択フラグ（フラグ１〜フラグ３）よりフラグ１（現在計量値継続に相当）を選択する。
（３）  次に、計量初期値選択フラグ判定にてフラグ値の判定を実施（Ｓ３３）し、フラグ値記憶部１１ｂにフラグ１を記憶（Ｓ３５）させ、設定モードを終了（Ｓ３６）する。
【００１９】
次に、計量初期値にオーバーフロー直前値を設定する場合の設定フローについて説明する。
（１）  主な動作フローは上述した動作と内容と同様であるが、ここでは計量初期値選択フラグ設定においてフラグ値にフラグ２（例えば、６桁表示の場合、「９９９９．９９」であるオーバーフロー直前値に相当）を選択（Ｓ３２）し、フラグ２をフラグ値記憶部１１ｂに記憶（Ｓ３５）させ、設定モードを終了（Ｓ３６）する。
【００２０】
次に、計量初期値として任意に設定可能な計量初期値（任意の数値）を設定する場合の設定フローについて説明する。
（１）  主な動作フローは上述した動作と内容と同様であるが、ここでは計量初期値選択フラグ設定においてフラグ値にフラグ３（例えば、６桁表示の場合、「９９９０．００」などの任意の数値に相当）を選択（Ｓ３２）し、計量初期値選択フラグ判定にて判定を実施（Ｓ３３）し、任意の数値を設定（Ｓ３４）する。次に、フラグ３と任意の数値をフラグ値記憶部１１ｂと計量初期値記憶部１１ａに記憶（Ｓ３５）させ、設定モードを終了（Ｓ３６）する。
【００２１】
以上のように、本発明の実施の形態１における電子式電力量計によれば、製造工場外（例えば、型式・検定試験所）にて実施される計量試験において、特定モード（試験モード）に移行することにより計量初期値を表示させることができ、オーバーフロー試験を実施する場合においては、計量値の初期値としてオーバーフロー直前値を選択することにより、オーバーフローまでの計量（桁上げ）試験を行うことなく、オーバーフロー試験時間を大幅に短縮することが可能となる。
また、記憶部に任意の数値を設定する設定部を有することで、様々な条件下でのオーバーフロー試験に応じて容易に所望する計量値を設定することができる。
【図面の簡単な説明】
【００２２】
【図１】本発明の実施の形態１における電子式電力量計を示す正面図である。
【図２】本発明の実施の形態１における電子式電力量計のブロック図である。
【図３】本発明の実施の形態１における電子式電力量計のフローチャート図である。
【図４】本発明の実施の形態１における電子式電力量計のフローチャート図である。
【符号の説明】
【００２３】
１  電子式電力量計、４  負荷、６  電圧検出部、７  電流検出部、
８  電力演算部、９  制御部、１０  表示部、１１  記憶部、１２  設定部。
【図１】
2008076206.tif 000003
【図２】
2008076206.tif 000004
【図３】
2008076206.tif 000005
【図４】
2008076206.tif 000006